(57)【特許請求の範囲】
【請求項１】
被検知物に交差する磁界を生成する磁界発生部材と、
前記被検知物の搬送方向に直交する方向を長手方向として前記長手方向にライン上に配置された磁気抵抗効果素子と、を備え、
前記磁気抵抗効果素子は、第１の抵抗体と第２の抵抗体とが、前記第１の抵抗体と前記第２の抵抗体との前記搬送方向の間隔の中心が前記磁界発生部材の前記搬送方向における中心位置に位置するように配置された構成を有し、
前記磁界発生部材は、前記第１の抵抗体と前記第２の抵抗体に、前記被検知物の搬送方向の成分と前記長手方向の成分とを有する磁界を印加し、
前記第１の抵抗体と前記第２の抵抗体とは、前記第１の抵抗体と前記第２の抵抗体の一端から前記長手方向の他端に向かうにつれ、前記第１の抵抗体と前記第２の抵抗体の間隔が広がっていく配置であり、
少なくとも２組の前記第１の抵抗体と前記第２の抵抗体が、前記磁界発生部材の前記長手方向に直交する軸に線対称に配置されている、
磁気センサ装置。
【請求項２】
前記第１の抵抗体と前記第２の抵抗体の組が、前記磁界発生部材の前記長手方向に直交する短手方向の中心を通り前記長手方向に沿った軸に線対称に配置されている、
請求項１に記載の磁気センサ装置。
【請求項３】
前記第１の抵抗体と前記第２の抵抗体の対で構成される前記磁気抵抗効果素子の組は、全ての組が前記磁界発生部材の前記長手方向の中心で該長手方向に直交する軸である中心軸に線対称に配置されている、
請求項１又は２に記載の磁気センサ装置。
【請求項４】
前記磁界発生部材の前記長手方向に延在する前記第１の抵抗体と前記第２の抵抗体は、前記磁界発生部材の前記長手方向の中心軸に近い側の前記第１の抵抗体と前記第２の抵抗体が前記中心軸となす角度が、前記中心軸に遠い側の前記第１の抵抗体と前記第２の抵抗体が前記中心軸となす角度以下になるように配置されている、
請求項１から３の何れか１項に記載の磁気センサ装置。
【請求項５】
前記磁界発生部材の前記長手方向に延在する前記第１の抵抗体と前記第２の抵抗体は、前記磁界発生部材の前記長手方向の中心軸に近い側の前記第１の抵抗体と前記第２の抵抗体の幅が、前記中心軸に遠い側の前記第１の抵抗体と前記第２の抵抗体の幅よりも小さくなるように配置されている、請求項１から４の何れか１項に記載の磁気センサ装置。
【請求項６】
前記磁界発生部材の前記長手方向に延在する前記第１の抵抗体と前記第２の抵抗体は、前記磁界発生部材の前記長手方向の中心軸に近い側の前記第１の抵抗体と前記第２の抵抗体の厚みが、前記中心軸に遠い側の前記第１の抵抗体と前記第２の抵抗体の厚みよりも厚くなるように配置されている、請求項１から５の何れか１項に記載の磁気センサ装置。
【請求項７】
前記磁界発生部材は、その前記長手方向の中心軸を基準に、反対方向の磁界を前記第１の抵抗体と前記第２の抵抗体に印加する、
請求項１から６の何れか１項に記載の磁気センサ装置。
【発明の詳細な説明】
【技術分野】
【０００１】
本開示は、磁気センサ装置に関する。
【背景技術】
【０００２】
磁束密度に対して抵抗値が変化する特性を有している磁気抵抗効果素子を複数使用した磁気センサ装置が知られている。例えば、特許文献１には、複数の磁気抵抗効果素子を使用して、紙幣等の紙葉状媒体に含まれる磁性パターンを多チャンネルで検出する磁気センサ装置が開示されている。【０００３】
特許文献１に記載の磁気センサ装置は、検出感度を向上するために、搬送方向（以下、Ｘ軸方向）に隣接した２つの磁気抵抗効果素子をブリッジ接続している。
【先行技術文献】
【特許文献】
【０００４】
【特許文献１】特許第６３１６４２９号公報
【特許文献２】特許第６３００９０８号公報
【発明の概要】
【発明が解決しようとする課題】
【０００５】
磁気抵抗効果素子は印加磁束−抵抗値特性がヒステリシス特性を示す。従って、紙葉状媒体の読取後にブリッジを組んだ２つの磁気抵抗効果素子のヒステリシスの影響が異なると、ヒステリシスの影響の差が分圧比に影響し、安定した出力信号を得ることが困難となる。【０００６】
この問題に対処するため、特許文献１の図９に記載の技術では、磁気抵抗効果素子のペアを、読取幅方向の一端側から他端側に向かうにつれて間隔が広がるように配置している。このような構成とすることにより、永久磁石から印加されるＸ軸方向の磁界により、磁気抵抗効果素子の長手方向、即ち、非感磁方向に安定してバイアス磁界を印加し、ヒステリシス特性による抵抗値の変動を抑えて、安定した出力を得ることができる。【０００７】
しかし、この構成の場合、Ｙ軸方向のバイアス磁界Ｂｙが負の領域では、磁界Ｂｙの磁気抵抗効果素子の長手方向成分と、Ｘ軸方向のバイアス磁界Ｂｘの磁気抵抗効果素子の長手方向成分と、が打ち消し合ってしまう。このため、磁気抵抗効果素子の長手方向に印加される磁界が弱くなり、出力信号の安定性が損なわれてしまう。【０００８】
また、上記課題を解消するため、特許文献２では、磁石の長手方向の端部に微小磁石を設け、ライン方向に並べて実装された各異方性磁気抵抗効果素子の非感磁方向に強制的に同じ方向にバイアス磁界を印加する構成を開示する。しかしながら、特許文献２の構成では、バイアス磁界を与える磁石の構造が複雑になる。【０００９】
本開示は、上述の課題を解決するためになされたものであり、簡単な構成で且つ安定した出力を取得することができる磁気センサ装置を提供することを目的とする。
【課題を解決するための手段】
【００１０】
上記目的を達成するため、本開示に係る磁気センサ装置は、被検知物に交差する磁界を生成する磁界発生部材と、被検知物の搬送方向に直交する方向を長手方向として長手方向にライン上に配置された磁気抵抗効果素子と、を備える。磁気抵抗効果素子は、第１の抵抗体と第２の抵抗体とが、第１の抵抗体と第２の抵抗体との搬送方向の間隔の中心が磁界発生部材の搬送方向における中心位置に位置するように配置された構成を有する。磁界発生部材は、第１の抵抗体と第２の抵抗体に、被検知物の搬送方向の成分と長手方向の成分とを有する磁界を印加する。第１の抵抗体と第２の抵抗体とは、第１の抵抗体と第２の抵抗体の一端から長手方向の他端に向かうにつれ、第１の抵抗体と第２の抵抗体の間隔が広がっていく配置であり、少なくとも２組の第１の抵抗体と第２の抵抗体が、磁界発生部材の長手方向に直交する軸に線対称に配置されている。
【発明の効果】
【００１１】
本開示によれば、少なくとも２組の第１の抵抗体と第２の抵抗体が、磁界発生部材の長手方向に直交する軸に線対称に配置されている。このため、各抵抗体の長手方向に印加される磁界を考えたときに、磁界発生部材が印加する磁界の磁界発生部材の長手方向成分の向きによらず、磁界の搬送方向の成分と長手方向の成分とが足し合うことが可能となる。このため、簡単な構成で、抵抗体の長手方向に安定して磁界を印加し、ヒステリシスの影響を抑えて、安定した出力を取得することができる。
【図面の簡単な説明】
【００１２】
【図１】本開示の実施の形態１に係る磁気センサ装置の被検知物の搬送方向に平行な断面図であり、図２のＩ−Ｉ線断面図
【図２】実施の形態１に係る磁気センサ装置の、被検知物の挿排出方向から見た断面図であり、図１のＩＩ−ＩＩ線断面図
【図３Ａ】実施の形態１に係るＡＭＲチップの構成図であり、複数の磁気抵抗効果素子の対の配置図
【図３Ｂ】実施の形態１に係るＡＭＲチップの回路図
【図４】実施の形態１に係る磁石が発生する磁界の分布図
【図５】図１における、磁気抵抗効果素子に印加されるＹ軸方向バイアス磁界Ｂyの分布を示すグラフ
【図６Ａ】図３Ａに示す磁気抵抗効素子に印加される磁界の長手方向成分を説明する図
【図６Ｂ】図３Ａに示す磁気抵抗効素子に印加される磁界の長手方向成分を説明する図
【図６Ｃ】図３Ａに示す磁気抵抗効素子に印加される磁界の長手方向成分を説明する図
【図７】本開示の実施の形態２に係る磁気センサ装置のＡＭＲチップの上面図
【図８】図７に示すＡＭＲチップ内の各磁気抵抗効果素子のＹ軸方向の位置とその長手方向に印加される磁界の強度の関係を示すグラフ
【図９】図７に示すＡＭＲチップ内の各磁気抵抗効果素子のＹ軸方向の位置とその感度との関係を示すグラフ
【図１０Ａ】本開示の実施の形態３における磁気センサ装置のＡＭＲチップの上面図
【図１０Ｂ】図１０Ａに示す磁気抵抗効果素子の向きの関係を示す図
【図１０Ｃ】図１０Ａに示すＡＭＲチップ内の各磁気抵抗効果素子のＹ軸方向の位置とその感度との関係を示すグラフ
【図１１】本開示の実施の形態４に係る磁気センサ装置のＡＭＲチップの上面図
【発明を実施するための形態】
【００１３】
以下、本開示の実施の形態に係る磁気センサ装置について説明する。
なお、以下の説明において、被検知物の搬送方向、即ち、磁気センサ装置の短手方向をＸ軸方向、被検知物の搬送方向に直交する磁気センサ装置の長手方向、即ち読取幅方向をＹ軸方向、搬送面であるＸＹ面に垂直な方向をＺ方向と定義し、適宜参照する。
【００１４】
（実施の形態１）
図１は、実施の形態１に係る磁気センサ装置１００の、Ｚ−Ｘ断面図、図２は、磁気センサ装置１００のＹ−Ｚ断面図、図３は、磁気センサ装置１００の異方性磁気抵抗効果素子チップの上面図であり、図１は、図２のＩ−Ｉ線断面、図２は図１のＩＩ−ＩＩ線断面に相当する。
【００１５】
図示するように、磁気センサ装置１００は、バイアス磁界を発生する磁石１と、磁気回路を形成するヨーク２ａ、２ｂと、磁界の変化を抵抗値の変化として出力する異方性磁気抵抗効果素子チップ３と、磁石１とヨーク２ａ、２ｂを収容する筐体４と、磁気をシールドする金属シールド板５と、磁気抵抗効果素子の抵抗値の変化を検出する回路基板６と、回路基板６の出力する検出信号を処理する信号処理回路基板７とを備える。
【００１６】
磁石１は、Ｚ軸方向にＮ極とＳ極の磁極を有し、Ｙ軸方向に長く、Ｘ軸方向に短く形成された直方体状の永久磁石を含む。磁石１は、異方性磁気抵抗効果素子チップ３にバイアス磁界を印加する磁界生成部を形成する。
【００１７】
ヨーク２ａとヨーク２ｂは、それぞれ、鉄などの軟磁性体で板状に構成されている。ヨーク２ａは、磁石１の上面に設置され、ヨーク２ｂは、磁石１の下面に、設置されている。ヨーク２ａと２ｂは、磁石１の発生する磁束を通過させ、磁界生成部の一部を形成している。尚、ヨーク２ａ、２ｂは、必須の構成ではなく、必要に応じて配置すればよい。
【００１８】
異方性磁気抵抗効果（Ａｎｉｓｏｔｒｏｐｉｃ  ＭａｇｎｅｔｏＲｅｓｉｓｔｉｖｅ  ｅｆｆｅｃｔ）素子チップ３（以下、ＡＭＲチップ３）は、ヨーク２ａの上面に配置され、印加された磁束の変化を抵抗値の変化として出力する。ＡＭＲチップ３の詳細については後述する。
【００１９】
筐体４は、樹脂またはセラミックにより作製され、上面が開口した箱状に形成されており、磁石１とヨーク２ａ、２ｂを収容する。
【００２０】
金属シールド板５は、回路基板６とＡＭＲチップ３の被検知物５０の搬送路側を被覆して、保護する。金属シールド板５は、それ自体は磁化することなく、磁力線を透過する。
【００２１】
回路基板６は、ＡＭＲチップ３を囲んで、ヨーク２ａの上面に載置されている。回路基板６は、ＡＭＲチップ３に、電源電圧ＶＤＤと接地電圧ＧＮＤを印加し、磁気抵抗効果素子の抵抗の変化を示す検出信号を出力する。
【００２２】
信号処理回路基板７は、筐体４の下部に配置され、ケーブル８を介して回路基板６に接続され、検出信号を処理して、被検知物５０を検知する。
【００２３】
被検知物５０は、磁気インクなどの磁性体が印字された紙幣などのシート状の被検知物である。被検知物５０の搬送方向は、＋Ｘ軸方向である。
【００２４】
次に、ＡＭＲチップ３の詳細を図３を参照して説明する。
ＡＭＲチップ３は、そのＸ軸方向の中心を通って長手方向であるＹ軸方向に伸びる中心軸Ｃｘを挟んで線対称に且つ仮想のライン上に配置された異方性磁気抵抗効果素子３１ａと３１ｂの対を８対備える。
【００２５】
異方性磁気抵抗効果素子３１ａと３１ｂは、それぞれ、平面視で長辺と短辺とを有し、短辺方向が磁気感応方向、長辺方向が磁気非感応方向である。
【００２６】
異方性磁気抵抗効果素子３１ａと３１ｂは、第１の抵抗体と第２の抵抗体の一例である。異方性磁気抵抗効果素子３１ａと３１ｂは、長手方向の中心軸Ｃｘが磁石１とヨーク２ａ、２ｂを備える磁界発生部材のＸ軸方向における中心位置となるように配置される。異方性磁気抵抗効果素子３１ａと異方性磁気抵抗効果素子３１ｂとは、長手方向の中心軸Ｃｘに線対称に配置されている。
異方性磁気抵抗効果素子３１ａと３１ｂは、Ｙ軸方向に沿ってその間隔が拡大又は縮小するように配置されている。また、少なくとも２組の異方性磁気抵抗効果素子３１ａと３１ｂの対は、磁石１とヨーク２ａ、２ｂを含む磁界発生部材のＹ軸方向の中心軸Ｃｙに線対称に配置されている。中心軸Ｃｙは、ＡＭＲチップ３のＹ軸方向の中心を通って短手方向であるＸ軸方向に伸びる中心軸である。
【００２７】
具体的に、図３Ａの例では、磁石１の長手方向に直交する仮想線Ｃｙ’よりも＋Ｙ軸側の領域には、Ｙが大きくなるに従って、間隔が広くなるように配置されている異方性磁気抵抗効果素子３１ａと３１ｂが５対、即ち５組存在する。仮想線Ｃｙ’よりも−Ｙ軸側の領域には、Ｙが大きくなるに従って、間隔が狭くなるように配置されている異方性磁気抵抗効果素子３１ａと３１ｂが３対、即ち３組存在している。このため、３組の異方性磁気抵抗効果素子３１ａと３１ｂずつ、計６組が、Ｙ軸方向の中心軸Ｃｙに線対称に配置されている。また、５つの組を含むグループＡの異方性磁気抵抗効果素子３１ａと３１ｂは、Ｙが増大するに従ってその間隔が拡大する。３つの組を含むグループＢの異方性磁気抵抗効果素子３１ａと３１ｂは、Ｙが増大するに従ってその間隔が縮小する。さらに、グループＡに属す５組とグループＢに属す３組の異方性磁気抵抗効果素子３１ａと３１ｂと、は、Ｙ軸方向の中心軸Ｃｘに線対称に配置されている。
【００２８】
図３Ｂに示すように、回路基板６により、各異方性磁気抵抗効果素子３１ａの一端には電源電圧ＶＤＤが印加される。各異方性磁気抵抗効果素子３１ｂの一端には接地電圧ＧＮＤが印加される。異方性磁気抵抗効果素子３１ａと３１ｂの他端は短絡され、各対の出力として出力信号線を介して回路基板６に出力される。
【００２９】
このような構成において、電源電圧ＶＤＤは、異方性磁気抵抗効果素子３１ａと３１ｂの抵抗値の比に応じて分圧され、出力信号線に検出信号として出力される。
【００３０】
磁性体を有する被検知物５０が搬送路を通過することにより、各異方性磁気抵抗効果素子３１ａ、３１ｂに印加される磁界が変化し、それにより、その抵抗値が変化して、分圧比が変化することで、検出信号の電圧が変化する。回路基板６は、検出信号を信号処理回路基板７に伝達し、信号処理回路基板７は、検出信号を処理することにより、被検知物５０を検出することが可能となる。
【００３１】
次に、上述の磁気センサ装置１００において、異方性磁気抵抗効果素子３１ａ、３１ｂにバイアス磁界を印加する構成について説明する。
【００３２】
図４は、磁石１とヨーク２ａ、２ｂを含む磁界生成部が出力する磁力線の分布を示す図である。なお、図４は磁力線の分布を説明するために必要な構成要素を記載し他は省略している。図４に示すように、ＸＺ平面で見たとき、磁石１のＮ極から発した磁力線２０は、ヨーク２ａを通り、ヨーク２ａのＸＹ面及びＹＺ面から磁石１及びヨーク２ａの外部へと放出される。磁石１及びヨーク２ａの外部へと放出された磁力線２０は、磁石１のＳ極側に設けられたヨーク２ｂのＸＹ面及びＹＺ面からヨーク２ｂに進入する。ヨーク２ｂに進入した磁力線２０は、ヨーク２ｂを通って、磁石１のＳ極に集約される。
【００３３】
ここで、ＡＭＲチップ３のＸ軸方向の中心軸、即ち、長手方向の中心軸Ｃｘは、磁石１及びヨーク２ａのＸ軸方向の中心に配置される。同様に、ＡＭＲチップ３の長手方向に直交するＹ軸方向の中心軸、即ち、中心軸Ｃｙは、磁石１及びヨーク２ａのＹ軸方向の中心に配置される。
このため、磁力線２０で示される磁界の、Ｘ軸方向の成分＋Ｂｘが異方性磁気抵抗効果素子３１ａのＸ軸方向バイアス磁界として作用している。反対に異方性磁気抵抗効果素子３１ｂ上では、−Ｘ軸方向の成分−Ｂｘが異方性磁気抵抗効果素子３１ｂのＸ軸方向バイアス磁界として作用する。この関係を図３Ａおよび図４に示す。このバイアス磁界により、異方性磁気抵抗効果素子３１ａと３１ｂの長手方向に安定して磁界が印加される。これにより、異方性磁気抵抗効果素子３１ａと３１ｂのヒステリシス特性が抑制され、安定した出力を得ることができる。
【００３４】
一方、Ｙ軸方向については、Ｘ軸方向よりもＡＭＲチップ３及び磁石１が長いため、おおよそ図５に示す強度分布を有する磁界が印加される。即ち、図３Ａの平面図において、理論的には、中心軸Ｃｙよりも＋Ｙ側、即ち右側のエリアでは、＋Ｙ軸方向の磁界が印加される。また、中心軸Ｃｙよりも−Ｙ側、即ち左側のエリアでは、−Ｙ軸方向の磁界が印加される。しかし、中央部、即ち、図５における（ａ）の範囲では、Ｙ軸方向バイアス磁界Ｂｙはほぼ”０”とみなすことができる。
【００３５】
ここで、中心軸Ｃｙよりも＋Ｙ軸側の端部である図５における（ｂ）の範囲、即ち、図面右端部の配置について考える。図６Ａに示すように、異方性磁気抵抗効果素子３１ａの長手方向の印加磁界は、Ｘ軸方向バイアス磁界Ｂｘの異方性磁気抵抗効果素子３１ａの長手方向成分//Ｂｘと、Ｙ軸方向バイアス磁界Ｂｙの磁気抵抗効果素子３１ａの長手方向成分//Ｂｙと、の和となる。このため、異方性磁気抵抗効果素子３１ａの長手方向のバイアス磁界は、Ｘ軸方向バイアス磁界ＢｘとＹ軸方向バイアス磁界Ｂｙの両方から安定的に供給される。
【００３６】
次に、中心軸Ｃｙよりも−Ｙ軸側の端部である図５における（ｃ）の範囲、即ち、図面左端部の配置について考える。図６Ｂに示すように、Ｙ軸方向バイアス磁界Ｂｙは−Ｙ軸方向を向く。一方、Ｘ軸方向バイアス磁界Ｂｘは図６Ａと同一である。領域（ｃ）に位置する、Ｙが大きくなるに従って間隔が広くなるように配置されている異方性磁気抵抗効果素子３１ａと３１ｂの場合を考える。この場合、異方性磁気抵抗効果素子３１ａの長手方向の印加磁界は、Ｘ軸方向バイアス磁界Ｂｘの異方性磁気抵抗効果素子３１ａの長手方向の成分//Ｂｘと、Ｙ軸方向バイアス磁界Ｂｙの異方性磁気抵抗効果素子３１ａの長手方向の成分//Ｂｙとが逆向きとなって相殺し合う。このため、その差が長手方向のバイアス磁界となる。このため、異方性磁気抵抗効果素子３１ａの長手方向のバイアス磁界は、小さいものとなり、異方性磁気抵抗効果素子３１ａは、ヒステリシスの影響を受け易くなる。
【００３７】
一方、図３Ａの構成では、磁石１の長手方向に直交する仮想線Ｃｙ’よりも−Ｙ軸側の領域には、Ｙが大きくなるに従って、間隔が狭くなるように配置されている異方性磁気抵抗効果素子３１ａと３１ｂが３組存在している。
【００３８】
この場合、図６Ｃに示すように、Ｘ軸方向のバイアス磁界をＢｘ、−Ｙ軸方向のバイアス磁界をＢｙとすると、異方性磁気抵抗効果素子３１ａの長手方向の印加磁界の成分は、Ｘ軸方向バイアス磁界Ｂｘの異方性磁気抵抗効果素子３１ａの長手方向の成分//Ｂｘと、Ｙ軸方向バイアス磁界Ｂｙの異方性磁気抵抗効果素子３１ｂの長手方向の成分//Ｂｘとの和となる。このため、図５における（ｃ）の範囲で、Ｙが大きくなるに従って、間隔が狭くなるように配置されている異方性磁気抵抗効果素子３１ａと３１ｂに関しては、異方性磁気抵抗効果素子３１ａの長手方向のバイアス磁界は、Ｘ軸方向バイアス磁界ＢｘとＹ軸方向バイアス磁界Ｂｙにより安定的に供給される。
【００３９】
以上のように、本実施の形態においては、磁石端の範囲において、Ｙ軸方向のバイアス磁界Ｂｙの向きが正の領域でも負の領域でも、少なくとも一部の異方性磁気抵抗効果素子３１ａと３１ｂの対に関しては、異方性磁気抵抗効果素子３１ａと３１ｂの長手方向のバイアス磁界に関しては、Ｘ軸方向バイアス磁界ＢｘとＹ軸方向バイアス磁界Ｂyが足し合うことになる。全ての異方性磁気抵抗効果素子３１ａと異方性磁気抵抗効果素子３１ｂの間隔が同方向に広がる、特許文献１の図９に記載された配置の場合と比較して、より広い領域、特に端部付近でも安定した出力を得ることができる。
【００４０】
さらに、本実施の形態の磁気センサ装置１００の感度分布は均一度が向上し、より均一な信号分布を取得できるようになる。
【００４１】
（実施の形態２）
実施の形態１では、少なくとも２組以上である６組、即ち６対の異方性磁気抵抗効果素子３１ａと異方性磁気抵抗効果素子３１ｂが中心軸Ｃｙに線対称になる構成としている。ただしこの構成に限定されず、少なくとも２組以上が中心軸Ｃｙに線対称に構成されていればよい。例えば、図７に示すように、中心軸ＣｙよりもＹ軸方向正領域に存在する異方性磁気抵抗効果素子３１ａと異方性磁気抵抗効果素子３１ｂの４つの組の全てと、中心軸ＣｙよりもＹ軸方向負領域に存在する磁気抵抗効果素子３１ａと異方性磁気抵抗効果素子３１ｂの４つの組の全て、計８組を中心軸Ｃｙに対して線対称としてもよい。線対称とすることで、ＡＭＲチップ３を複数種類製造する必要がなく、ＡＭＲチップ３上に異方性磁気抵抗効果素子３１ａ、３１ｂを形成するための単一のパターン原版を製造するだけで済むため、コスト低減が可能となる。
この場合には、図８に示すように、各異方性磁気抵抗効果素子３１ａ、３１ｂの長手方向のバイアス磁界Ｂ//は、Ｙ軸方向の位置によらずほぼ均一となる。また、図９に示すように、感度もＹ軸方向の位置によらずほぼ均一となる。
【００４２】
（実施の形態３）
実施の形態３に係る磁気センサ装置１００について、図１０を参照して説明する。なお、図１０において、図３Ａと同一もしくは同等の構成要素には同一符号を付し、その説明を省略する。
【００４３】
図１０Ａは実施の形態3における磁気センサ１００のＡＭＲチップ３の平面図である。この構成では、磁石１とヨーク２ａ、２ｂとを備える磁界発生部材の長手方向であるＹ軸方向の中間点に相当する中心軸Ｃｙに近い位置ほど、異方性磁気抵抗効果素子３１ａと異方性磁気抵抗効果素子３１ｂの成す角度が大きくなるように配置している。ただし、各異方性磁気抵抗効果素子３１ａと３１ｂのサイズは同一である。この場合、図１０Ｂに模式的に示すように、磁気抵抗効果素子３１ａに印加される磁界のＹ軸方向の位置による差が小さくなる。このため、図１０Ｃに示すように感度分布の均一度が向上し、より均一な信号分布を取得できるようになる。
【００４４】
（実施の形態４）
実施の形態４に係る磁気センサ装置について、図１１を参照して説明する。
図１１において、図３と同一もしくは同等の構成要素には同一符号を付し、その説明を省略する。
【００４５】
図１１に示すように、本実施の形態では、磁石１とヨーク２ａ、２ｂとを備える磁界発生部材の長手方向であるＹ軸方向の中間点に相当する中心軸Ｃｙに近い側の異方性磁気抵抗効果素子３１ａ、３１ｂの幅Ｗが、中心軸Ｃｙに遠い側の異方性磁気抵抗効果素子３１ａ、３１ｂの幅Ｗよりも小さい構造を有する。
【００４６】
図１１において、中心軸ＣｙではＹ軸方向バイアス磁界Ｂｙの大きさは微小であるが、中心軸Ｃｙから遠くなるに従って、Ｙ軸方向バイアス磁界Ｂｙが大きくなり、異方性磁気抵抗効果素子３１ａ、３１ｂの感度に影響を与え、感度が小さくなる。そこで、異方性磁気抵抗効果素子３１ａ、３１ｂの幅Ｗを中心軸Ｃｙから遠くなるに従って大きくすることにより、異方性磁気抵抗効果素子３１、３１ｂからの出力値は変化させないようにすることによって、見かけ上、磁気センサ装置１００の感度分布の均一度が向上し、均一な信号分布が取得可能となる。
【００４７】
（変形例）
図１１に示すように異方性磁気抵抗効果素子３１ａ、３１ｂの幅Ｗを位置に応じて変更する代わりに、或いは、幅Ｗを位置に応じて変更すると共に、異方性磁気抵抗効果素子３１ａ、３１ｂの厚み、即ち、Ｚ軸方向の大きさを位置に応じて変更するようにしてもよい。より具体的には、中心軸Ｃｙに近い側の異方性磁気抵抗効果素子３１ａ、３１ｂの厚みが、中心軸Ｃｙに遠い側の異方性磁気抵抗効果素子３１ａ、３１ｂの厚みよりも大きい、即ち、厚い構造とする。異方性磁気抵抗効果素子は、抵抗膜が薄い程感度が上がる特性を有する。従って、厚みを調整することにより、実施の形態４と同様の効果を得ることができる。
【００４８】
実施の形態１〜４に示す構造を有する部分を磁気センサ装置の一部の領域のみとしてもよい。
【００４９】
本明細書において、「対称」とは、厳密な対称を意味しない。実施の形態の磁気センサ装置１００において、異方性磁気抵抗効果素子３１ａと３１ｂは、中心軸Ｃｙに対して磁気センサとして機能しうるレベルでの対称のズレ、製造上の誤差に基づく対称のズレ、他の機能を目的とする部分的な対称のズレが存在してもよい。ズレの内容も、サイズのズレ、位置のズレ、角度又は向きのズレなど、いずれでもよい。
【００５０】
なお、以上の説明においては、異方性磁気抵抗効果素子３１ａ、３１ｂを１枚の抵抗体として作図しているが、抵抗体は特許第６３１６４２９号（特許文献１）の図１０に示すようにミアンダ構造、即ち、折返しパターンを有していてもよい。また、異方性磁気抵抗効果素子３１ａ、３１ｂの幅Ｗの大きさは、抵抗体の折返し回数に比例している。すなわち、異方性磁気抵抗効果素子３１ａ,３１ｂの幅Ｗが小さい場合は抵抗体の折返し回数が少ないので異方性磁気抵抗効果素子３１ａ、３１ｂの抵抗値は小さく、異方性磁気抵抗効果素子３１ａ、３１ｂの幅Ｗが大きい場合は抵抗体の折返し回数が多いので磁気抵抗効果素子３１ａ、３１ｂの抵抗値は大きくなる。
【００５１】
なお、本開示は、その開示の範囲内において、実施の形態を自由に組み合わせ、各実施の形態を適宜、変形、省略することが可能である。例えば、磁気抵抗効果素子を構成する抵抗体の例として、異方性磁気抵抗効果素子を使用する例を示したが、ＧＭＲ（Ｇｉａｎｔ ＭａｇｎｅｔｏＲｅｓｉｓｔｉｖｅ ｅｆｆｅｃｔ）素子、ＴＭＲ（Ｔｕｎｎｅｌ ＭａｇｎｅｔｏＲｅｓｉｓｔｉｖｅ ｅｆｆｅｃｔ）等を使用しても同様の効果が得られる。
【００５２】
磁気抵抗効果素子を８対、８組配置する例を示したが、対の数は任意である。また、線対称に配置する対、即ち組の数も、中心軸Ｃｙより＋Ｙ側に１組、−Ｙ側に１組の計２組以上であれば任意である。
【００５３】
また、異方性磁気抵抗効果素子３１ａと異方性磁気抵抗効果素子３１ｂとが、磁界発生部の長手方向の中心軸Ｃｘに線対称に配置されている例を示したが、必ずしも線対象でなくてもよい。
装置構成、回路構成などは例示であり、適宜変更可能である。
【００５４】
本開示は、本開示の広義の精神と範囲を逸脱することなく、様々な実施の形態及び変形が可能とされるものである。また、上述した実施の形態は、この開示を説明するためのものであり、本開示の範囲を限定するものではない。すなわち、本開示の範囲は、実施の形態ではなく、請求の範囲によって示される。そして、請求の範囲内及びそれと同等の開示の意義の範囲内で施される様々な変形が、この開示の範囲内とみなされる。
【００５５】
本出願は、２０１９年８月６日に出願された、日本国特許出願特願２０１９−１４４７６７号に基づく。本明細書中に日本国特許出願特願２０１９−１４４７６７号の明細書、特許請求の範囲、図面全体を参照として取り込むものとする。
【符号の説明】
【００５６】
１  磁石、  ２ａ、２ｂ  ヨーク、  ３  異方性磁気抵抗効果素子チップ、４  筐体、５  金属シールド板、６  回路基板、７  信号処理回路基板、  ８  ケーブル、３１ａ、３１ｂ  異方性磁気抵抗効果素子。
【図１】
0006964830.tif 000002
【図２】
0006964830.tif 000003
【図３Ａ】
0006964830.tif 000004
【図３Ｂ】
0006964830.tif 000005
【図４】
0006964830.tif 000006
【図５】
0006964830.tif 000007
【図６Ａ】
0006964830.tif 000008
【図６Ｂ】
0006964830.tif 000009
【図６Ｃ】
0006964830.tif 000010
【図７】
0006964830.tif 000011
【図８】
0006964830.tif 000012
【図９】
0006964830.tif 000013
【図１０Ａ】
0006964830.tif 000014
【図１０Ｂ】
0006964830.tif 000015
【図１０Ｃ】
0006964830.tif 000016
【図１１】
0006964830.tif 000017